(57)【要約】【課題】  押しボタンをガイドするガイド片の動きを規制する手段を、別部品を使用することなく押しボタンと一体的に設け、また、押しボタンをメインプリント基板により所定の位置に保持することにより、部品点数及びコストを低減した信頼性の高い電子機器を提供する。【解決手段】  操作用の押しボタンを備えた電子機器において、ガイド片３０にガイドされて筐体に取付けられる押しボタン４２と、ガイド片３０の動きを規制ガイド片押えリブ４１とを有し、このガイド片押えリブ４１と押しボタン４２とを一体的に形成したものである。【選択図】      図２
2005259622.tif 000002
【特許請求の範囲】
【請求項１】
操作用の押しボタンを備えた電子機器において、
ガイド片にガイドされて筐体に取付けられる前記押しボタンと、前記ガイド片の動きを規制するガイド片押えリブとを有し、該ガイド片押えリブと前記押しボタンとを一体的に形成したことを特徴とする電子機器。
【請求項２】
押しボタン装着部が設けられ前記筐体の前面開口部に取付けられる表示操作パネルを有し、該表示操作パネルの押しボタン装着部に前記押しボタンを装着したことを特徴とする請求項１記載の電子機器。
【請求項３】
複数の押しボタンを接続片によりそれぞれ連結部材に連結して押しボタンアッセンブリを形成し、前記連結部材に前記ガイド片押えリブを設けたことを特徴とする請求項１又は２記載の電子機器。
【請求項４】
前記押しボタンアッセンブリを前記表示操作パネルに取付けてその上にメインプリント基板を固定した際に、前記連結部材を該メインプリント基板に当接するように設定したことを特徴とする請求項３記載の電子機器。
【発明の詳細な説明】
【技術分野】
【０００１】
本発明は、電子機器に係り、さらに詳しくは、操作用の押しボタンを備えた電子機器に関するものである。
【背景技術】
【０００２】
この種の電子機器に、操作部と、電子機器本体に設けた開口部に係合するフックとを有する押しボタンが、電子機器本体に対して板バネにより弾性支持されており、板バネの一部がフックの背面に位置してフックの変形を規制するようにした押しボタン装置を備えたものがある（例えば、特許文献１）。
【特許文献１】実用新案登録第２５０５８２７号公報（第２頁、図１−図４）
【発明の開示】
【発明が解決しようとする課題】
【０００３】
特許文献１に記載の押しボタン装置は、フックの変形を規制し、押しボタンが外れるのを防止するために、別部品として板バネを設けているため、部品点数が多くなるばかりでなく、組立が面倒でコストアップになるという問題があった。
【０００４】
本発明は、上記の課題を解決するためになされたもので、押しボタンをガイドするガイド片の動きを規制する手段を、別部品を使用することなく押しボタンと一体的に設け、また、押しボタンをメインプリント基板により所定の位置に保持することにより、部品点数及びコストを低減した信頼性の高い電子機器を提供することを目的としたものである。
【課題を解決するための手段】
【０００５】
本発明は、操作用の押しボタンを備えた電子機器において、ガイド片にガイドされて筐体に取付けられる前記押しボタンと、前記ガイド片の動きを規制するガイド片押えリブとを有し、該ガイド片押えリブと前記押しボタンとを一体的に形成したものである。
【発明の効果】
【０００６】
本発明は、押しボタンとガイド片押えリブとを別部品を使用することなく一体的に構成したので、部品点数が少なく組立が容易でコストを低減することができる。
また、押しボタンの連結部材を、メインプリント基板により押えることで押しボタンを所定の位置に保持することができる。そして、連結部材にガイド片押えリブを設けることで簡単な構造で押しボタンの外れを防止することができ、押しボタンの信頼性を高めることができる。
【発明を実施するための最良の形態】
【０００７】
図１は本発明の一実施の形態に係る電子機器の外観斜視図、図２は図１のＡ−Ａ断面図、図３はメインプリント基板を取外した図１のカバー部の背面図、図４は一部を省略した図３の分解図である。
図において、１は電子機器である住宅情報盤で、筐体はベース２とカバー３とからなり、カバー３の前面中央部の上下方向には、モニタ４、スピーカ５、通話用のスイッチ装置６が設けられており、モニタ４の両側には各種の操作用の押しボタン７が取付けられている。８はカバー部３の背面の大部分を覆うメインプリント基板である。
【０００８】
カバー３は樹脂成型品からなり、図４に示すように、中央部よりやや上方には大きな窓状の前面開口部１０が設けられている。そして、前面開口部１０の両側の上部には一対の係止部１１ａ，１１ｂが設けられており、下縁部には前面開口部１０側に係止爪を有する一対のフック１２ａ，１２ｂが設けられている。また、下縁部のフック１２ａ，１２ｂの間には、下方に延設されてねじ孔が設けられた支持台１３ａ，１３ｂが設けられている。１４はメインプリント基板８が係止するフック、１５ａ〜１５ｆはねじ孔を有し、メインプリント基板８が載置されてねじ止めにより固定されるスタッドである。
【０００９】
２０は樹脂成型品からなり、カバー３の前面開口部１０の背面に取付けられる表示操作パネルで、図２、図４、図５に示すように、ほぼ中央部にはモニタ４を装着するモニタ用開口部２１が設けられており、その上縁部及び両側には、モニタ用開口部２１側に係止爪を有するフック２２ａ〜２２ｃが設けられている。
また、表示操作パネル２０の上縁部には、カバー３の係止部１１ａ，１１ｂに係止するフック２３ａ，２３ｂが設けられており、下縁部にはカバー３のフック１２ａ，１２ｂに係止する係止部２４ａ，２４ｂが設けられている。さらに、これら係止部２４ａ，２４ｂの間には、カバー３の支持台１３ａ，１３ｂに対応して、先端部がねじ孔に対応して半円状に形成された一対の固定腕２５ａ，２５ｂが設けられている。
【００１０】
２６ａ，２６ｂ（以下、単に２６と記すことがある）は、モニタ用開口部２１の両側に形成された後述の押しボタンアッセンブリ３５の装着部（以下、押しボタン装着部という）であり、両者は対称的に同じ構成になっているので、以下右側の押しボタン装着部２６ｂについて説明する。
この押しボタン装着部２６は、隔壁２８を隔てて上下方向に同じ大きさで長方形の複数（図には４個の場合が示してある）の押しボタン挿入部２７ａ〜２７ｄ（以下、単に２７と記すことがある）が設けられている。そして、各押しボタン挿入部２７のモニタ用開口部２１側には、図９に示すように、上端部が押しボタン挿入部２７側に折曲げられたほぼＬ字状の第１のガイド片２９が設けられており、また、反対側には押しボタン挿入部２７側に爪部を有する第２のガイド片３０がそれぞれ設けられている。ここで、図９は、図３のＢ−Ｂにおける一部断面図で、押しボタン４２の表示操作パネル２０への取付状態を示すものである。なお、押しボタン４２は中央で半分に割られた状態を示している。
そして、第２のガイド片３０の外側の上下方向にはガイド片３０と間幅Ｗを隔てて固定壁３１が立設されており（図５参照）、固定壁３１の第２のガイド片３０側には各第２のガイド片３０の幅に対応してそれぞれリブ３２が設けられて、後述のガイド片押え用リブ４１の嵌合部３３が形成されている。
【００１１】
図６は樹脂成型品からなる押しボタンアッセンブリ３５の斜視図、図７はその背面図である。ここで、押しボタンアッセンブリ３３とは、複数の押しボタン４２ａ〜４２ｄを接続片４４によりそれぞれ連結部材３６に連結したものをいい、以下に詳細に説明する。なお、左右の押しボタンアッセンブリ３５は対称構造なので、一方の押しボタンアッセンブリ３５について説明する。３６は縦壁３７と横壁３８とからなる断面ほぼＬ字状の連結部材で、その両端部に設けた側壁３９ａ，３９ｂの間には、等間隔で複数のリブ４０が設けられている。そして、横壁３８の上面の側壁３９ａ，３９ｂと各リブ４０の間には、第２のガイド片３０の動きを規制するほぼＴ字状のガイド片押え用リブ４１が設けられており、その幅Ｗ1は表示操作パネル２０の第２のガイド片３０と固定壁３１との間隔Ｗとほぼ等しいか僅かに狭く形成されている。なお、縦壁３７は、押しボタンアッセンブリ３５を表示操作パネル２０に取付けたときに、その上端部がカバー３に設けたスタッド１５ａ〜１５ｆの上端部と同一平面になるような高さに設定されている。言い換えると、表示操作パネル２０を筐体（カバー３）の前面開口部１０に取付け、表示操作パネル２０の上にメインプリント基板８がカバー３のスタッド１５ａ〜１５ｆに載置されて固定されるとき、連結部材３６の縦壁３７の上端部が、メインプリント基板８に当接する高さに設定されている。
【００１２】
４２ａ〜４２ｄ（以下、単に４２と記すことがある）は、押しボタン挿入部２７に自在に挿入しうる大きさで、下部が開口されたほぼ箱状の押しボタンであり、ほぼ中央部の下面には、操作時にメインプリント基板８に搭載されたスイッチ８ａ（図２参照）を作動させる操作部４３が突設されている。なお、この操作部４３は図には断面十字状の場合を示してあるが、これに限定するものではなく、円形、楕円形、多角形等他の断面形状のものであってもよい。
【００１３】
この押しボタン４２は、一端が連結部材３６の側壁３９ａ（又は３９ｂ）及び各リブ４０と一体的に形成され、他端が押しボタン４２のモニタ用開口部２１側の端部に一体的に連結された弾性を有する接続片４４によりそれぞれ揺動自在に連結されて支持されている。このようにして、連結部材３６のガイド片押えリブ４１と押しボタン４２とが一体的に形成されている。なお、押しボタン４２ａには操作部４３の両側にスタッド４５を設けた場合を示してあるが、これは、当該押しボタン４２ａを使用する予定がない場合、操作部４３より長いスタッド４５を設けることにより、若しこの押しボタン４２ａを押しても操作部４３より先にスタッド４５がメインプリント基板８に当り、操作部４３がスイッチ８ａに当らないようにしたものである。この押しボタン４２ａを使用する場合は、スタッド４５を操作部４３より短かい長さで切断すればよい。なお、スタッド４３の長さは、メインプリント基板８に当接する長さにしてもよく、この場合において押しボタン４２を使用する場合は、ボタンストローク以上カットすればよい。
【００１４】
再び図４において、５０はモニタ用支持枠の背面図で、前面側（図の背面側）にはＬＣＤ５１が取付けられており、後面側にはプリント基板５２が取付けられる（図２参照）。そして、背面側の上部にはプリント基板５２が係止するフック５３ａ，５３ｂが設けられており、下部の両側にはプリント基板５２を固定するためのねじ孔５４ａ，５４ｂが設けられている。５５ａ，５５ｂは下縁において表示操作パネル２０の固定腕２５ａ，２５ｂに対応して設けた固定腕で、ねじ挿通孔が設けられている。
このモニタ用支持枠５０には、あらかじめ前面側にＬＣＤ５１が取付けられ、背面側にプリント基板５２が上縁部をフック５３ａ，５３ｂに係止し、両側をねじ孔５４ａ，５４ｂに螺入したねじで固定されてモニタ４が形成されている。
【００１５】
次に、上記のような各部からなる住宅情報盤１のカバー３の組立手順の一例について説明する。
先ず、カバー３の背面から前面開口部１０上に表示操作パネル２０を位置させ、そのフック２３ａ，２３ｂ及び係止部２４ａ，２４ｂをカバー３の係止部１１ａ，１１ｂ、フック１２ａ，１２ｂにそれぞれ係止させ、装着する。このとき、表示操作パネル２０の固定腕２５ａ，２５ｂはカバー３の支持台１３ａ，１３ｂ上に位置する。このときの状態を図８に示す。
【００１６】
次に、第１、第２のガイド片２９，３０にガイドされて押しボタン４２が表示操作パネル２０に取付けられる場合について説明する。先ず、表示操作パネル２０の背面から一方の押しボタン装着部（例えば、２６ｂ）上に押しボタンアッセンブリ３５を位置させ、図９に示すように、各押しボタン挿入部２７内に、第２のガイド片３０を外側に弾性変形させて押しボタン４２をそれぞれ挿入し、他端を第１のガイド片２９の折曲げ部の下に位置させる。押しボタン４２が挿入されると、第２のガイド片３０は元の状態に戻り、押ボタン４２は押しボタン挿入部２７内に保持される。そして、連結部材３６のガイド片押えリブ４１をガイド片３０と固定壁３１との間の嵌合部３３にそれぞれ嵌入する。なお、他方の押しボタン装着部２６ａにも、同様にして押しボタンアッセンブリ３５を装着する。
【００１７】
この状態では、図９に示すように、第２のガイド片３０はガイド片押えリブ４１により所定の位置に保持され、その爪部は押しボタン４２の後壁上に位置する。また、押しボタン４２の前後壁及び両側壁と、両ガイド片２９，３０及び隔壁２８との間にはそれぞれ僅かなすき間が形成され、前後壁の先端部と第１のガイド片２９の折曲げ部及び第２のガイド片３０の爪部との間には、所定のすき間が形成される。これにより、押しボタン４２は接続片４４により押しボタン挿入部２７内に上下動可能に支持され、常時は押しボタン４２の表面がカバー３の前面とほぼ同一平面上に位置する。
【００１８】
次に、モニタ用支持枠５０（モニタ４）を表示操作パネル２０のモニタ用開口部２１上に位置させ、その上縁部をフック２２ａ〜２２ｃに係止させると共に、下縁部に設けた固定腕５５ａ，５５ｂを表示操作パネル２０の固定腕２５ａ，２５ｂ上に載置する。そして、固定腕５５ａ，５５ｂのねじ挿通孔から固定腕２５ａ，２５ｂの半円部に挿通したねじを、カバー３の支持台１３ａ，１３ｂのねじ孔に螺入し、モニタ４及び表示操作パネル２０を共締めしてカバー３に一体に固定する。このときの状態を図３に示す。
【００１９】
最後にメインプリント基板８をカバー３の背面に位置させてスタッド１５ａ〜１５ｆ上に載置し、ねじにより固定する。このときの状態を図２に示す。
この状態では、各押しボタン４２の操作部４３の先端部は、メインプリント基板８に搭載した複数のスイッチ８ａと所定のすき間を隔ててそれぞれ対峙する。また、押しボタンアッセンブリ３５の連結部材３６の縦壁３７の先端部はメインプリント基板８に当接し、その位置に保持、固定される。
【００２０】
上記のように構成した本実施の形態において、住宅情報盤１のカバー３に設けた操作用押しボタン７のうち、所望の押しボタン４２を圧下すると、当該押しボタン４２は押しボタン挿入部２７内を下降し（図２の場合は上昇）、その操作部４３がスイッチ８ａのアクチュエータを圧下してＯＮし、所望の操作回路を閉成する。なお、このとき、押しボタン４２を強く押してもそのストロークは第１のガイド片２９の折曲げ部と第２のガイド片３０の爪部とによって規制されるため、スイッチ８ａ等が損傷することはない。
押しボタン４２から指を離すと、押しボタン４２は接続片４４の弾性及びスイッチ８のアクチュエータの反力により元の状態に戻り、操作部４３がスイッチ８ａのアクチュエータから離れてスイッチ８ａはＯＦＦされ、操作回路は開放される。
【００２１】
本発明は、押しボタンアッセンブリ３５の連結部材３６に、これと一体にガイド片押え用リブ４１を設け、押しボタンアッセンブリ３５を表示操作パネル２０の押しボタン装着部２６に組込んだ際に、このガイド片押え用リブ４１を第２のガイド片３０と固定壁３１の間に挿入して位置決めすると共に、第２のガイド片３０の動きを規制するようにしたので、第２のガイド片３０が固定壁３１側へ動いて押しボタン４２が外れるのを防止できる。このため、特に別部品を設ける必要がないので、組立も容易である。
【００２２】
また、押しボタンアッセンブリ３５を表示操作パネル２０の押しボタン装着部２６に組込んだ際に、その縦壁３７の先端部を、カバー３に設けたメインプリント基板８を載置固定するスタッド１５の先端部と同一平面になるように設定し、メインプリント基板８をカバー３の背面に固定した際に、縦壁３７の先端部がメインプリント基板８に当接するようにしたので、連結部材３６の縦壁３７を押えることができ、これにより連結部材３６の押えリブ３２が第２のガイド片３０と固定壁３１との間（嵌合部３３）から外れるのを防止できる。これにより、押しボタンアッセンブリ３５を所定の位置に確実に保持し、固定することができる。
【００２３】
さらに、カバー３への表示操作パネル２０の取付け、表示操作パネル２０へのモータ４の取付けにあたっては、大部分はフックを用い、また、表示操作パネル２０とモニタ４の下部を共締めによりカバー３に固定するようにしたので、部品が少なくなってコストを低減できるばかりでなく、組立やメンテナンスを簡単に行うことができる。
【産業上の利用可能性】
【００２４】
上記の説明では、電子機器である住宅情報盤に本発明を実施した場合を示したが、これに限定するものではなく、操作用の押しボタンを備えた電子機器であれば、本発明を実施することができる。
また、上記の説明では、モニタの両側にそれぞれ複数の操作用の押しボタンを設けた場合を示したが、その配置及び数はこれに限定するものではなく、押しボタンが１個の場合でも本発明を実施することができる。
【図面の簡単な説明】
【００２５】
【図１】本発明の一実施の形態に係る住宅情報盤（電子機器）の外観斜視図である。
【図２】図１のＡ−Ａ断面図である。
【図３】図１のカバーのメインプリント基板を取外した状態を示す背面図である。
【図４】一部を省略した図３の分解斜視図である。
【図５】図３の表示操作パネルの背面図である。
【図６】図３の押しボタンアッセンブリの斜視図である。
【図７】図６の背面図である。
【図８】カバーに表示操作パネルを装着した状態を示す背面図である。
【図９】図８の押しボタン装着部に押しボタンアッセンブリを取付けた状態を示す図２のＢ−Ｂ一部断面図である。
【符号の説明】
【００２６】
１  住宅情報盤、３  カバー、４  モニタ、７  操作用の押しボタン、８  メインプリント基板、１０  前面開口部、１５ａ〜１５ｆ  スタッド、２０  表示操作パネル、２１  モニタ用開口部、２６  押しボタン装着部、２７  押しボタン挿入部、２９  第１のガイド片、３０  第２のガイド片、３１  固定壁、３５  押しボタンアッセンブリ、３６  連結部材、４１  ガイド片押え用リブ、４２  押しボタン、４３  操作部、４４  接続片、５０  モニタ支持枠。
【図１】
2005259622.tif 000003
【図２】
2005259622.tif 000004
【図３】
2005259622.tif 000005
【図４】
2005259622.tif 000006
【図５】
2005259622.tif 000007
【図６】
2005259622.tif 000008
【図７】
2005259622.tif 000009
【図８】
2005259622.tif 000010
【図９】
2005259622.tif 000011